(57)【要約】【課題】  砂，石灰石の微粒子，ガラス破砕粉，酸化鉄，水砕スラグ等の比較的粒径の小さな固形物を連続的に脱水することができ、これまで短時間での脱水が困難であった非常に微細な固形物まで強力に脱水できる振動式真空脱水装置を提供する。【解決手段】  振動式真空脱水装置を、湿った固形物が投入される搬送面1aとその下方側にその幅方向全長に亘って配備されている開口幅が０.０５〜０.３ｍｍの脱水網1bとから構成され長手方向に傾斜させた状態で可撓性の支持部材２で支持されている搬送シュート１と、搬送シュート１全体を上下方向に連続的に０.５〜４.０ｍｍの振幅で振動させる加振機３と、脱水網1bの下方に設置されている減圧用ボックス４内に落下した水及び微細な固形物を貯水タンク５の上部に導入するホース６と、減圧用ボックス４内を減圧させるために貯水タンク５内を吸引する真空ポンプ７と、連通を間欠的に遮断するための自動弁８とから構成する。【選択図】        図１
2006341227.tif 000002
【特許請求の範囲】
【請求項１】
上方から湿った固形物が投入される搬送面(1a)と該搬送面(1a)の下方側にその幅方向全長に亘って配備されており最も狭い開口幅が０.０５〜０.３ｍｍであるウエッジワイヤスクリーンから成る脱水網(1b)とから構成されていて長手方向に傾斜させた状態で可撓性の支持部材(２)によって支持されている搬送シュート(１)と、該搬送シュート(１)全体を上下方向に０.５〜４.０ｍｍの振幅で連続的に振動させる加振機(３)と、該脱水網(1b)の下方に設置されている減圧用ボックス(４)と、該減圧用ボックス(４)内に落下した水及び微細な固形物を貯水タンク(５)の上部に導入するためのホース(６)と、該ホース(６)を介して該減圧用ボックス(４)内を減圧させるために該貯水タンク(５)内の空気を吸引する真空ポンプ(７)と、該減圧用ボックス(４)と該貯水タンク(５)との連通を間欠的に遮断するために該ホース(６)に設置されている自動弁(８)とを備えていることを特徴とする振動式真空脱水装置。
【請求項２】
貯水タンク(５)にその内圧が規定値以下になると外部から該貯水タンク(５)内に空気を取り入れる安全弁(９)が設けられている請求項１に記載の振動式真空脱水装置。
【請求項３】
搬送シュート(１)が搬送面(1a)の下方側に固形物の搬送方向に間隔を設けて複数の脱水網(1b，‥)が配備されており、各脱水網(1b)毎に減圧用ボックス(４)及びホース(６)が装着されていて、各ホース(６)に装着された自動弁(８)がそれぞれ時間差を設けて開閉する自動弁(８)である請求項１又は２に記載の振動式真空脱水装置。
【請求項４】
搬送シュート(１)が固形物の搬送方向と並行に間仕切り壁を介して複数の搬送面(1a，‥)を備えていて、各搬送面(1a，‥)の脱水網(1b)毎に減圧用ボックス(４)及びホース(６)が装着されていて、各ホース(６)に装着された自動弁(８)がそれぞれ時間差を設けて開閉する自動弁(８)である請求項１から３までのいずれか１項に記載の振動式真空脱水装置。
【請求項５】
複数の搬送シュート(１，‥)を備えていて、各搬送シュート(１，‥)の脱水網(1b)毎に減圧用ボックス(４)及びホース(６)が装着されていて、各ホース(６)に装着された自動弁(８)がそれぞれ時間差を設けて開閉する自動弁(８)である請求項１から３までのいずれか１項に記載の振動式真空脱水装置。
【発明の詳細な説明】
【技術分野】
【０００１】
本発明は、砂，石灰石の微粒子，ガラス破砕粉，酸化鉄，水砕スラグ等の比較的粒径の小さな固形物を連続的に脱水することができ、またこれまで短時間で脱水することが困難であった非常に微細な固形物まで強力に脱水することができる振動式真空脱水装置に関するものである。
【背景技術】
【０００２】
砂，石灰石の微粒子，ガラス破砕粉，酸化鉄，水砕スラグ等の比較的粒径が小さい固形物は、不純物が混在していたり、粒径が不揃いであったりすると商品価値が大きく損なわれるため、洗浄や選別（分級）が行われる。その際に水が使用されるために、洗浄や選別されたこれらの固形物は水分を多く含んだ状態となり、そのままでは運搬等をすることができない。
【０００３】
そこで例えば分級機等から排出された砂の場合には、山積みして自然脱水させることが多いが、脱水に時間がかかり、また山積みするための土地を確保しなければならないなどの問題がある。また砂を湿った状態のまま山積みすると、砂から染み出た排水の処理等が難しいばかりでなく、山積みされた砂の下方側はいつまでも湿った状態となり上方の砂しか十分な脱水ができないことも問題である。
【０００４】
このような砂から染み出る排水の処理を軽減できる装置としては、砂の混入した濁水である原液を受け入れ砂を沈降せしめる沈降槽と、この沈降槽の底に沈降した砂を移送する数条のスパイラル羽根と、このスパイラル羽根の終端にあって、移送されてきた砂を掻き上げる環状に配設された掻き上げバケットとからなる水平スパイラル型分級機と、その環状に配設されたバケットの中空部に対応して配置されたバケットからの砂を受け入れる振動篩式脱水機と、この脱水機で抜かれた微砂を含んだ水を沈降槽に戻す環元樋とから構成した分級脱水機がある（例えば、特許文献１参照。）。
【０００５】
この分級脱水機は、水平スパイラル型分級機から投入された湿った砂を振動篩式脱水機によって振動を与えながら篩上を移動させることによって脱水しようとするものであるが、粒径の小さな砂まで脱水しようとすると、粒径の小さな砂は水分含有量が高いため良好な脱水ができないので長時間に亘る脱水が必要となって装置が著しく大型化してしまうので好ましくなく、その結果、分級機から連続的に投入される湿った砂を順次脱水処理することが難しいという欠点があった。またこのような欠点は粒径の小さなものまで脱水する場合に起こるものであるから、この分級脱水機のように振動を与えながら篩上を移動させただけでは、砂に限らず、石灰石の微粒子，ガラス破砕粉，酸化鉄，水砕スラグ等の比較的粒径が小さい固形物についても十分な脱水はできないのである。
【０００６】
【特許文献１】実公平３−１０６９号公報
【発明の開示】
【発明が解決しようとする課題】
【０００７】
本発明は前記の問題に鑑み、砂，石灰石の微粒子，ガラス破砕粉，酸化鉄，水砕スラグ等の比較的粒径の小さな固形物を簡単な設備で連続的に脱水することができ、またこれまで短時間で脱水することが困難であった非常に微細な固形物まで強力に脱水することができる振動式真空脱水装置を提供することを課題とする。
【課題を解決するための手段】
【０００８】
本発明者は前記課題を解決すべく鋭意検討を重ねた結果、これまでの振動篩式脱水機のように振動だけで脱水する場合は粒径の小さな砂まで十分に脱水できないため、目の粗い篩が使用され粒径の大きな砂だけ脱水して篩い落とされた粒径の小さな砂については分級機の沈降槽に戻されていたので、目の粗い篩の代わりに目の細かい脱水網を使用すると共に、この振動篩式脱水機の脱水網の下方に減圧用ボックスを設置し減圧用ボックス内を真空ポンプ等を使用して吸引する手段を装着すれば、脱水網上の湿った砂を強力に吸引脱水できるので粒径の小さな砂まで十分に吸引脱水でき、更には砂以外の粒径の小さな固形物の脱水にも利用できると考えた。
しかしながら、振動篩式脱水機に吸引する手段を装着する場合、従来の振動篩式脱水機のような大きな振幅で搬送シュートを振動させると、吸引の際に脱水網上の固形物が大きく跳ね上がり過ぎて十分な吸引ができず、また搬送シュートの振幅が小さ過ぎると、吸引によって固形物が脱水網に吸い付けられて搬送できなくなるだけでなく脱水網の網目に固形物が入り込み脱水網が目詰まりしてしばしば脱水できない状態となるという新たな問題に直面した。
【０００９】
そこで本発明者は更に研究を重ねた結果、最も狭い開口幅が０.０５〜０.３ｍｍであるウエッジワイヤスクリーンから成る脱水網を搬送シュートの搬送面に装着し、搬送シュートを従来の振動篩式脱水機の振幅よりやや小さい０.５〜４.０ｍｍの振幅で上下方向に連続的に振動させながら間欠的に吸引脱水すれば、振幅が４.０ｍｍを超えないので吸引する際に脱水網上の固形物が跳ね上がり過ぎることがないため十分な吸引脱水ができ、また連続的に振動している搬送シュートの振幅は０.５ｍｍ未満とならないので、吸引が停止された際に吸引脱水された固形物を振動によって容易に搬送することができると共に脱水網の網目に入り込んだ固形物も搬送シュートの振動によって脱水網の網目から容易に弾き出すことができ、更に湿った固形物は付着性が高いため搬送速度が遅いのに対して、脱水後の固形物は搬送速度が速くなる点に着目して、搬送シュートの下方側に脱水網を設ければ、湿って付着性が高い固形物は搬送シュートの上方からゆっくりとした速度で下方へと移動し、吸引脱水の際に固形物は脱水網上で略停止状態となるものの、吸引脱水後は付着性が低くなるので吸引が停止されると速い速度で排出され、投入される固形物が搬送シュート内で殆ど溜まることがないので連続的な脱水作業が可能となり、また搬送シュート上の固形物は上下に振動しながら搬送されるので搬送シュートの下方側に位置する脱水網に到達するまでに一様にならされるからむらなく吸引脱水できることを究明して本発明を完成したのである。
【００１０】
即ち本発明は、上方から湿った固形物が投入される搬送面と該搬送面の下方側にその幅方向全長に亘って配備されており最も狭い開口幅が０.０５〜０.３ｍｍであるウエッジワイヤスクリーンから成る脱水網とから構成されていて長手方向に傾斜させた状態で可撓性の支持部材によって支持されている搬送シュートと、該搬送シュート全体を０.５〜４.０ｍｍの振幅で上下方向に連続的に振動させる加振機と、該脱水網の下方に設置されている減圧用ボックスと、該減圧用ボックス内に落下した水及び微細な固形物を貯水タンクの上部に導入するためのホースと、該ホースを介して該減圧用ボックス内を減圧させるために該貯水タンク内の空気を吸引する真空ポンプと、該減圧用ボックスと該貯水タンクとの連通を間欠的に遮断するために該ホースに設置されている自動弁とを備えていることを特徴とする振動式真空脱水装置である。
【００１１】
また貯水タンクにその内圧が規定値以下になると外部から貯水タンク内に空気を取り入れる安全弁が設けられていれば、予期しない大量の湿った固形物が脱水網上に送られて吸引された場合や予期しない目詰まりが発生した場合などに脱水網の網目が塞がれることによって減圧用ボックス内や貯水タンク内が過剰に低圧になり各種の器材が破損することがあるが、そのような場合に外部から空気を取り入れて圧力を上げることができて好ましく、また搬送シュートが搬送面の下方側に固形物の搬送方向に間隔を設けて複数の脱水網が配備されており、各脱水網毎に減圧用ボックス及びホースが装着されていて、各ホースに装着された自動弁がそれぞれ時間差を設けて開閉する自動弁であれば、脱水網が１つしかない場合には真空ポンプによる吸引力は常時利用されないが、複数の脱水網を設けて真空ポンプによる吸引力を各脱水網毎に切り換えて使用すれば真空ポンプからの吸引力を無駄にすることがなくまた効率良く脱水ができて好ましく、更に搬送シュートが固形物の搬送方向と並行に間仕切り壁を介して複数の搬送面を備えていて各搬送面の脱水網毎に減圧用ボックス及びホースが装着されていて、各ホースに装着された自動弁がそれぞれ時間差を設けて開閉する自動弁であったり、複数の搬送シュートを備えていて、各搬送シュートの脱水網毎に減圧用ボックス及びホースが装着されていて、各ホースに装着された自動弁がそれぞれ時間差を設けて開閉する自動弁であったりすれば、大量の固形物を脱水することができるだけでなく、真空ポンプから常時加えられる吸引力を順次各搬送シュートの脱水網毎に切り換えて使用することで効率良く脱水することができて好ましいことも究明したのである。
【発明の効果】
【００１２】
本発明に係る振動式真空脱水装置は、上方から湿った固形物が投入される搬送面とその搬送面の下方側にその幅方向全長に亘って配備されており最も狭い開口幅が０.０５〜０.３ｍｍであるウエッジワイヤスクリーンから成る脱水網とから構成されていて長手方向に傾斜させた状態の搬送シュートを備えているから、非常に細かな固形物まで吸引脱水することができ、また吸引脱水をする脱水網が搬送シュートの下方側に設けられているので、湿って付着性が高い固形物は搬送シュートの上方からゆっくりとした速度で下方へと移動し、吸引脱水の際に固形物は脱水網上で略停止状態となるが、吸引脱水後は付着性が低くなるので吸引が停止されると速い速度で排出されるから投入される固形物が搬送シュート内で溜まって脱水にむらができたりすることがなく連続的に脱水することができ、また搬送シュートは可撓性の支持部材によって支持されていて０.５〜４.０ｍｍの振幅で上下方向に連続的に振動させる加振機を備えているから、搬送シュート上の固形物は上下に振動することによって一様にならされて脱水網上へと送られるのでむらなく短時間で脱水できると共に脱水網に目詰まりも発生せず、また脱水網の下方に設置されている減圧用ボックスと、減圧用ボックス内に落下した水及び微細な固形物を貯水タンクの上部に導入するためのホースと、ホースを介して減圧用ボックス内を減圧させるために貯水タンク内の空気を吸引する真空ポンプと、減圧用ボックスと貯水タンクとの連通を間欠的に遮断するためにホースに設置されている自動弁とを備えているから、真空ポンプによる吸引を間欠的に遮断することができるので、吸引脱水された固形物を容易に排出することができるのである。
【００１３】
また貯水タンクにその内圧が規定値以下になると外部から貯水タンク内に空気を取り入れる安全弁が設けられている場合には、予期しない大量の湿った固形物が脱水網上に送られて吸引されたり、予期しない目詰まりが発生したりしても、貯水タンク内に外部から空気が取り入れられるので吸引の際に過剰に低圧になって貯水タンクや減圧用ボックス等が破損することがなく、更に搬送シュートが搬送面の下方側に固形物の搬送方向に間隔を設けて複数の脱水網が配備されており、各脱水網毎に減圧用ボックス及びホースが装着されていて、各ホースに装着された自動弁がそれぞれ時間差を設けて開閉する自動弁である場合には、真空ポンプによる吸引力を各脱水網毎に切り換えて使用することで、真空ポンプから常時加えられる吸引力を無駄にすることがなくまた効率良く脱水ができ、また搬送シュートが固形物の搬送方向と並行に間仕切り壁を介して複数の搬送面を備えていて各搬送面の脱水網毎に減圧用ボックス及びホースが装着されていて、各ホースに装着された自動弁がそれぞれ時間差を設けて開閉する自動弁であったり、複数の搬送シュートを備えていて、各搬送シュートの脱水網毎に減圧用ボックス及びホースが装着されていて、各ホースに装着された自動弁がそれぞれ時間差を設けて開閉する自動弁であったりする場合には、真空ポンプから常時加えられる吸引力を順次各搬送シュートの脱水網毎に切り換えて使用することで、大量の固形物が連続的に投入された場合であっても効率良く脱水することができるのである。
【発明を実施するための最良の形態】
【００１４】
以下、図面を用いて本発明に係る振動式真空脱水装置について詳細に説明する。
図１は本発明に係る振動式真空脱水装置の１実施例の側面説明図、図２は図１の平面説明図、図３は２つの脱水網が搬送面の下方側に固形物の搬送方向に間隔を設けて装着されている本発明に係る振動式真空脱水装置の他の実施例を示す平面説明図、図４は１つの搬送シュートに固形物の搬送方向と並行に間仕切り壁を介して２つの脱水網を備えている本発明に係る振動式真空脱水装置の更に他の実施例を示す平面説明図、図５は２つの搬送シュートを備えている本発明に係る振動式真空脱水装置の更に他の実施例を示す平面説明図である。
【００１５】
図面中、１は上方から湿った固形物が投入される搬送面1aと搬送面1aの下方側にその幅方向全長に亘って配備されており最も狭い開口幅が０.０５〜０.３ｍｍであるウエッジワイヤスクリーンから成る脱水網1bとから構成されていて長手方向に傾斜させた状態で後述する可撓性の支持部材２によって支持されている搬送シュートである。この搬送シュート１は、耐食性の高いステンレス鋼等で形成されていると好ましく、また形状としては両側に側壁が立設されていて上面が開放されたものや、屋外で使用される場合には雨よけのために固形物の投入部を除いて上面が設けられているものなどが使用できる。
【００１６】
２は搬送シュート１を支持する可撓性の支持部材であり、搬送シュート１や搬送シュート１上に投入された水分を含んだ固形物の重量を支えると共に、搬送シュート１を連続的に振動させる際にその妨げとならないようにものであればよく、ばね等から構成されているとよい。
【００１７】
３は搬送シュート１全体を上下方向に連続的に振動させる加振機であり、この加振機３としては振動モータ等が利用できる。また加振機３による搬送シュート１の振幅は０.５〜４.０ｍｍであることが必要で、４.０ｍｍを超えると吸引の際に脱水網1b上の固形物が大きく跳ね上がり過ぎて十分な吸引ができず、また振幅が０.５ｍｍ未満であると搬送シュートの振動によって固形物を搬送することができないばかりか脱水網1bの網目に入り込んだ固形物を振動によって弾き出して目詰まりを防止することができない。
【００１８】
４は脱水網1bの下方に設置されている減圧用ボックスである。脱水網1bが複数設けられている場合にはこの減圧用ボックス４は各脱水網1b毎に設置される。
【００１９】
５は減圧用ボックス４内に落下した水及び微細な固形物が上部に導入される貯水タンクであり、この貯水タンク５は後述する真空ポンプ７によって直接減圧されるので、その圧力状態が分かるように圧力計等が設けられているとよい。
【００２０】
６は減圧用ボックス４内に落下した水及び微細な固形物を貯水タンク５の上部に導入するためのホースである。このホース６はその一端が貯水タンク５の上部に連結されているので、ホース６内も減圧されたり大気圧になったりするから、減圧しても管径が変化しない芯線入りホースや鋼管が好ましく使用される。
【００２１】
７はホース６を介して減圧用ボックス４内を減圧させるために貯水タンク５内の空気を吸引する真空ポンプである。
【００２２】
８は減圧用ボックス４と貯水タンク５との連通を間欠的に遮断するためにホース６に設置されている自動弁である。真空ポンプ７によって貯水タンク５が減圧され、ホース６に設置された自動弁８が開くことで、ホース６を介して減圧用ボックス４内を減圧させることができるのである。
【００２３】
９は貯水タンク５にその内圧が規定値以下になると外部から貯水タンク５内に空気を取り入れる安全弁である。この安全弁９が設置されていると、予期しない大量の湿った固形物が脱水網1b上に送られて吸引されたり、予期しない目詰まりが発生したりしても、外部から貯水タンク５内に空気を取り入れられるので吸引の際に過剰に低圧になって各種の器材が破損することがなくて好ましいのである。また、脱水網1bを１つしか備えていない場合は、ホース６に設置された自動弁８を閉じると、貯水タンク５内が異常な低圧になることを防止するため真空ポンプ７を停止させたり真空ポンプ７の駆動速度を低下させたりしなければならない場合があるが、安全弁９を備えていれば、真空ポンプ７を常時駆動させた状態で自動弁８の開閉のみによって間欠的に吸引脱水することができるのである。
【００２４】
更に搬送シュート１が搬送面1aの下方側に固形物の搬送方向に間隔を設けて複数の脱水網1b，‥が配備されており、各脱水網1b毎に減圧用ボックス４及びホース６が装着されていて、各ホース６に装着された自動弁８がそれぞれ時間差を設けて開閉する自動弁８である場合には、真空ポンプ７による吸引力を各脱水網1b毎に切り換えて使用することで、真空ポンプ７を常時駆働させた状態で効率良く脱水ができて好ましく、また搬送シュート１が固形物の搬送方向と並行に間仕切り壁を介して複数の搬送面1a，‥を備えていて、各搬送面1a，‥の脱水網1b毎に減圧用ボックス４及びホース６が装着されていて、各ホース６に装着された自動弁８がそれぞれ時間差を設けて開閉する自動弁８であったり、複数の搬送シュート１，‥を備えていて、各搬送シュート１，‥の脱水網1b毎に減圧用ボックス４及びホース６が装着されていて、各ホース６に装着された自動弁８がそれぞれ時間差を設けて開閉する自動弁８であったりする場合には、真空ポンプ７による吸引力を各脱水網1b毎に切り換えて使用することで、真空ポンプ７を常時稼働させた状態で効率良く脱水ができて好ましい。
【００２５】
このような構成を有する本発明に係る振動式真空脱水装置を実際に使用するには、先ず図１の如く、搬送シュート１を長手方向に傾斜させた状態で、ばね等からなる可撓性の支持部材２によって支持させ、加振機３を例えば搬送シュート１の左右の外側面に装着して常時振動させた状態で、搬送シュート１の上方から搬送シュート１の搬送面1a上へ湿った固形物を投入する。湿った固形物は付着性が高く搬送し難いが、搬送シュート１が長手方向に傾斜され且つ加振機３によって上下方向に振動が加えられているので、湿った固形物は搬送シュート１の搬送面1a上をゆっくりとした速度で下方へと搬送されていく。また湿った固形物は加振機３によって上下方向の振動が加えられるので、搬送面1a上の特定の場所に集中することなく、一様にならされた状態で下方側に設置された脱水網1bへと移動する。この脱水網1bを構成するウエッジワイヤスクリーンは搬送面1aの幅方向全長に亘って設置されていて最も狭い開口幅が０.０５〜０.３ｍｍであり、各ウエッジワイヤの長手方向が搬送シュート１の長手方向と一致するように装着しても、搬送シュート１の幅方向と一致するようにして装着してもよい。
【００２６】
また脱水網1bの下方には減圧用ボックス４が装着されていて、この減圧用ボックス４は上方の脱水網1bによって外部に開放された状態となっているが、吸引脱水時には脱水網1b上に固形物が載置され密閉されたような状態になるため固形物に吸引力が十分に伝えられるのである。
【００２７】
またこの減圧用ボックス４はホース６を介して貯水タンク５へと接続されており、貯水タンク５内の空気が真空ポンプ７によって吸引され減圧されることで、ホース６を介して減圧用ボックス４内も減圧され、減圧用ボックス４の上方に位置する脱水網1b上の湿った固形物が吸引脱水される。なお真空ポンプ７を減圧用ボックス４に直接接続して減圧させることも可能であるが、本発明に係る振動式真空脱水装置では、間欠的に減圧用ボックス４内を減圧させて吸引脱水するため、真空ポンプ７を減圧用ボックス４に直接接続するのではなく、上記のように自動弁８が設けられたホース６を介して接続し、この自動弁８を使用することで間欠的な減圧が容易に行われるのである。更に減圧用ボックス４と真空ポンプ７との間に貯水タンク５を設けることにより、単に吸引脱水するだけでなく、脱水された水を貯水タンク５へと容易に導くことができるのである。
【００２８】
また図２の如く脱水網1bが１つしか設けられていない場合には真空ポンプ７を常時稼働させていると、吸引を遮断する際にホース６の自動弁８を閉じると貯水タンク５内が異常な低圧状態となって真空ポンプ７を停止させなければならない現象が発生することがある。そのため、図１の如く、貯水タンク５に圧力計を装着して内部の圧力を測定し、貯水タンク５の内圧が規定値以下になると外部から貯水タンク５内に空気を取り入れる安全弁９を設ければ、脱水網1bが１つしか設けられていない場合であっても真空ポンプ７を常時稼働させた状態で吸引脱水作業ができるのである。更にこのように安全弁９が設けられていれば、予期しない大量の湿った固形物が脱水網1b上に送られて吸引されたり、予期しない目詰まりが発生したりしても、外部から空気を取り入れられるので吸引の際に過剰に低圧になって各種の器材が破損することもないのである。
【００２９】
更に脱水網1bが１つしか設けられていない場合には、真空ポンプ７による吸引力は間欠的にしか利用されないが、図３の如く１つの搬送シュート１に２つの脱水網1b，1bを固形物の搬送方向に間隔を設けて装着して、各脱水網1b，1bにそれぞれ設けられた減圧用ボックス４，４に真空ポンプ７による吸引力を順次切り換えて伝えれば、真空ポンプ７による吸引力を無駄にすることなく効率良く脱水することができる。
【００３０】
また、大量の固形物を脱水する必要がある場合には、図４の如く搬送シュート１が固形物の搬送方向と並行に間仕切り壁を介して複数の搬送面1a，‥を備えていて、各搬送面1a，‥の脱水網1b毎に減圧用ボックス４及びホース６が装着されていて、各ホース６に装着された自動弁８がそれぞれ時間差を設けて開閉する自動弁８であったり、図５の如く複数の搬送シュート１，‥を備えていて、各搬送シュート１，‥の脱水網1b毎に減圧用ボックス４及びホース６が装着されていて、各ホース６に装着された自動弁８がそれぞれ時間差を設けて開閉する自動弁８であったりする場合には、各ホース６に装着された自動弁８によって真空ポンプ７から常時加えられる吸引力を順次切り換えて使用すれば、大量の固形物であっても容易に吸引脱水することができる。
【００３１】
そして図４に示す態様では、比較的大きな搬送シュート１の中央に間仕切り壁を設置することにより、２つの搬送面1a，1aが形成されている。この態様の場合には湿った固形物を左右の搬送面1a，1aに振り分けるために、別途固形物の振り分け装置を設けてもよいが、湿った固形物を単に搬送シュート１の搬送面1aの上方中央部に投入すれば、搬送シュート１は常時振動しているので一様にならされながら搬送されるため、間仕切り壁の上方側の端部で左右の搬送面1a，1aに略均等に振り分けられるのである。また、図５に示す態様では、図１に示す態様の振動式真空脱水装置において真空ポンプ７と貯水タンク５とを共用しているので、安価な設備で効果的に固形物を吸引脱水できるのである。そして、これら図４及び図５に示す態様では、一方の脱水網1bで吸引脱水している際は他方の脱水網1bでの吸引脱水を停止するように自動弁８を作動させれば、真空ポンプ７の稼動効率を著しく高めることができるのである。
【００３２】
また搬送シュート１の振幅は、大き過ぎると吸引脱水の際に脱水網1b上で固形物が暴れて十分な脱水ができないばかりか跳ね上がった固形物が脱水網1bの網目に強力に入り込んで目詰まりが生じてしまい、また小さ過ぎると付着性の高い湿った固形物を十分に搬送することができないばかりか脱水網1bの網目に入り込んだ固形物を取り除く効果が少なく目詰まりが生じてしまう。そのため搬送シュート１の振幅は０.５〜４.０ｍｍであることが必要である。
【００３３】
そして、本発明に係る振動式真空脱水装置では、開口幅が０.０５〜０.３ｍｍの細かなウエッジワイヤスクリーンから成る脱水網1bを使用して吸引手段によって脱水網1b上の湿った固形物を強力に吸引脱水しているから、これまで脱水することが困難であった非常に小さな粒径の固形物も十分に脱水でき、また加振機３によって搬送シュート１を０.５〜４.０ｍｍの振幅で常時振動させているから、吸引脱水の際も固形物が脱水網1bに付着し難く、また吸引脱水の際に脱水網1bの網目に固形物が入り込んだ場合でも、吸引脱水後に吸引が遮断された状態でも振動が加えられるので、脱水網1bの網目に入り込んだ固形物は上下方向の大きな振動によって容易にはじき出されるのである。
【図面の簡単な説明】
【００３４】
【図１】本発明に係る振動式真空脱水装置の１実施例の側面説明図である。
【図２】図１の平面説明図である。
【図３】２つの脱水網が搬送面の下方側に固形物の搬送方向に間隔を設けて装着されている本発明に係る振動式真空脱水装置の他の実施例を示す平面説明図である。
【図４】１つの搬送シュートに固形物の搬送方向と並行に間仕切り壁を介して２つの脱水網を備えている本発明に係る振動式真空脱水装置の更に他の実施例を示す平面説明図である。
【図５】２つの搬送シュートを備えている本発明に係る振動式真空脱水装置の更に他の実施例を示す平面説明図である。
【符号の説明】
【００３５】
１  搬送シュート
1a  搬送面
1b  脱水網
２  支持部材
３  加振機
４  減圧用ボックス
５  貯水タンク
６  ホース
７  真空ポンプ
８  自動弁
９  安全弁
【図１】
2006341227.tif 000003
【図２】
2006341227.tif 000004
【図３】
2006341227.tif 000005
【図４】
2006341227.tif 000006
【図５】
2006341227.tif 000007